(57)【要約】      （修正有）【課題】物品（商品）が収納されたプラスチック製包袋の開口を効率よく封止するための熱接着シーラーを提供する。【解決手段】この熱接着シーラーは、包袋開口縁辺を上下から挟圧するためのシールバー３２を備えた水平基台３１と前記シールバー３２に向い合うシールバー３４を備えた押圧体３３とを有し、２つのシールバー３２，３４の少なくとも一方は、包袋開口縁辺を加熱するための加熱体であり、水平基台にはそのシールバー３２の端部近傍に位置して、包袋開口縁辺の端縁を係止する係止手段４０が設けられており、該係止手段に包袋開口縁辺の端縁を係止して、水平基台のシールバー３２に沿って包袋開口縁辺を伸直に保持せしめた状態で、シールバー３２と３４の間に包袋開口縁辺を加熱挟圧する。【選択図】図１
2004268970.tif 000002
【特許請求の範囲】
【請求項１】
物品を収納したプラスチック包袋の開口縁辺を封止代とし、開口の全幅に亘って開口縁辺の重ね合せ面を加熱下に挟圧して封止する熱接着シーラーであって、包袋開口縁辺を上下から挟圧するためのシールバーを備えた水平基台と前記シールバーに向い合うシールバーを備えた押圧体とを有し、前記２つのシールバーの少なくとも一方は、包袋開口縁辺を加熱するための加熱体であり、水平基台にはそのシールバーの端部近傍に位置して、包袋開口縁辺の端縁を係止する係止手段が設けられており、該係止手段に包袋開口縁辺の端縁を係止して、水平基台のシールバーに沿って包袋開口縁辺を伸直に保持せしめた状態で、前記２つのシールバーの間に包袋開口縁辺を挟圧するようにしたことを特徴とするプラスチック包袋の開口封止用熱接着シーラー。
【請求項２】
前記係止手段は、包袋開口縁辺の左右の製袋接着代に形成されたピン孔に挿通されるピンと、該ピンを保持するピン差込み孔が設けられたピン保持台とを有する請求項１に記載のプラスチック包袋の開口封止用熱接着シーラー。
【請求項３】
前記ピンの側面に、包袋の製袋接着代の浮上がりを防止する突出部が形成されている請求項２に記載のプラスチック包袋の開口封止用熱接着シーラー。
【請求項４】
前記係止手段は、水平基台のシールバーの左右の端部近傍のそれぞれに設けられており、少なくとも一方の係止手段のピン保持台には、ピン差し替えのための複数のピン差込み孔がシールバーと平行な向きの列をなして形成されている請求項２又は請求項３に記載のプラスチック包袋の開口封止用熱接着シーラー。
【請求項５】
前記係止手段は、包袋開口縁辺の左右の端縁を握持するクリップと該クリップを保持するクリップ保持台とを有する請求項１に記載のプラスチック包袋の開口封止用熱接着シーラー。
【請求項６】
前記係止手段は、水平基台のシールバーの左右の端部近傍のそれぞれに設けられ、左右の係止手段の向い合う離隔距離がシールバーと平行な向きに増減可能である請求項２、請求項３又は請求項５に記載のプラスチック包袋の開口封止用熱接着シーラー。
【請求項７】
前記左右の係止手段の少なくとも一方に、該係止手段を他方の係止手段から遠ざかる向きにスライドさせる付勢手段が設けられている請求項６に記載のプラスチック包袋の開口封止用熱接着シーラー。
【発明の詳細な説明】
【０００１】
【発明の属する技術分野】
本発明は、各種プラスチック包袋、例えば輸液バッグの外装袋を一度開封した後に行なう開封口の再封止をはじめとする、各種プラスチック包袋の開口封止を効率よく行なうことができる熱接着シーラーに関する。
【０００２】
【従来の技術】
輸液バッグは、輸液の変質防止のために、酸素バリアー性のプラスチックシートからなる包袋（外装袋）に収納密封されている。図１４は輸液バッグ包装体の例を示している。外装袋（１０）に収納された輸液バッグ（Ｂ）は、製剤の種類に応じた調剤処理（例えばビタミン剤の混注等）が施され，その際に袋端（１０Ｅ）を切取られ（鎖線表示）、図１５に示すように開封される。このため、調剤処理の後、患者に供用するまで比較的長い時間経過が予想される場合（例えば在宅患者への供用等）においては、輸液の変質防止のために外装袋（１０）の開口（１１）を再封止することが望まれる。
【０００３】
開封された外装袋（１０）を再封止する従来の方法は、開封口の縁辺（１１Ｅ）を折畳んで数回巻き重ねたうえクリップで止めるか又は粘着テープを貼り付けるのが通常の形態である。その再封操作は煩瑣かつ非能率であり、しかも密封性を保証することができない。この対策として、図１６に示すシーラー（封止機器）を使用することが考えられる。これは、外装袋（１０）の開口縁辺（１１Ｅ）を熱接着（溶着等）するもので、水平基台（３１）と押圧体（３３）を有し、それぞれシールバー（３２）（３４）を備えている。押圧体（３３）は支軸（３５）を支点として回動可能に取り付けられている。図１７に示すように、外装袋（１０）の開口縁辺（１１Ｅ）を水平基台（３１）のシールバー（３２）の上に添わせたうえ、押圧体（３３）を回動し上下のシールバー（３２）（３４）で挟み付けると開口縁辺（１１Ｅ）の重ね合わせ界面が加熱溶着される。
【０００４】
【発明が解決しようとする課題】
上記シーラーを用いて外装袋の開口縁辺（１１Ｅ）を全幅に亘って確実に密封するには、開口縁辺（１１Ｅ）を、しわや波打ち等のゆがみがないように水平基台のシールバー（３２）に添わせることを要する。しわや波打ち等のゆがみがあると、開口縁辺（１１Ｅ）の溶着界面に微小な隙間ができ健全な封止が妨げられるからである。しかし、輸液バッグが収納された外装袋（１０）の開口縁辺（１１Ｅ）を手作業で伸直状態に保持することは容易でなく、図１７に示したようにしわや波打ち等のゆがみ（Ｄ）を伴う。このため封止操作は著しく非能率となり、開口封止の仕損じをきたすことも少なくない
【０００５】
本発明は、輸液バッグの外装袋の再封止をはじめとし、各種物品（商品）が収納されたプラスチック包袋の開口封止に伴う上述の難点を解消し、効率よく確実に開口を封止し、包装外観や密封性等を高め得るようにした熱接着シーラーを提供するものである。
【０００６】
【課題を解決するための手段】
本発明の熱接着シーラーは、物品を収納したプラスチック包袋の開口縁辺を封止代とし、開口の全幅に亘って開口縁辺の重ね合せ面を加熱下に挟圧して封止する熱接着シーラーであって、包袋開口縁辺を上下から挟圧するためのシールバーを備えた水平基台と前記シールバーに向い合うシールバーを備えた押圧体とを有し、前記２つのシールバーの少なくとも一方は、包袋開口縁辺を加熱するための電気加熱回路を備えた加熱体であり、水平基台にはそのシールバーの端部近傍に位置して、包袋開口縁辺の端縁を係止する係止手段が設けられており、該係止手段に包袋開口縁辺の端縁を係止して、水平基台のシールバーに沿って包袋開口縁辺を伸直に保持せしめた状態で、前記２つのシールバーの間に包袋開口縁辺を挟圧するようにしたことを特徴としている。
【０００７】
【発明の実施の形態】
以下、本発明について実施例を示す図面を参照して具体的に説明する。
各図において、３１は水平基台、３３は押圧体、４０は包袋係止手段である。
水平基台（３１）はその上面側にシールバー（３２）が設けられ、押圧体（３３）の下面側には、前記シールバー（３２）と向い合うシールバー（３４）が設けられている。２つのシールバー（３２）（３４）の少なくとも一方は、包袋の熱接着封止に必要な給熱を行なうため加熱体であり、シーラーに内蔵された電気加熱回路（図示せず）を備えコード（３６）を介して電源に接続される。なお、図は押圧体（３３）を、その片側端部が水平基台（３１）の片側端部に軸承されたレバーとして、支軸（３５）を中心に、水平基台（３１）を含む垂直面内で回動させるように構成した例を示している。
【０００８】
包袋係止手段（４０）は、水平基台（３１）のシールバー（３２）の側面に位置して台板（３７）に設置されている。
図１に示した熱接着シーラー（２０Ａ）における包袋係止手段（４０）は、シールバー（３２）の左右両側端に配置された２つのピン保持台（４２）（４２１，４２２）  と各ピン保持台（４２１，４２２）のそれぞれに保持されたピン（４１）（４１１，４１２）とで構成されている。この熱接着シーラー（２０Ａ）は、図１３に示すように包袋開口（１１）の左右の製袋接着代（１２）（１２１，１２２）のそれぞれにピン孔（１３）（１３１，１３２）を形成した包袋（１０）に適用される。ピン孔（１３）は、包袋（１０）の製袋工程で形成しておいてもよく、または開口封止を行なう際に適当なパンチ器具（市販の事務用簡易孔あけパンチ等）を用いて形成してもよい。
【０００９】
上記包袋係止手段（４０）の左右のピン保持台（４２１）（４２２）の頂面にはピン差込み孔（４５）が設けられ、それぞれにピン（４１）（４１１，４１２）が着脱可能に差込まれている。一方のピン保持台（４２１）のピン（４１１）と他方のピン保持台（４２２）のピン（４１２）との離隔距離は、包袋の製袋接着代（１２１）（１２２）に形成されている左右のピン孔（１３１）と  （１３２）の間隔（袋幅方向）に対応するように調節される。
【００１０】
この熱接着シーラー（２０Ａ）を用いて包袋（１０）の開口（１１）を封止するには、図７に示すように、一方の製袋接着代（１２１）のピン孔（１３１）を片側のピン保持台（４２１）のピン（４１１）にあてがって差込み、他方の製袋接着代（１２２）のピン孔（１３２）を他端側のピン保持台（４２２）のピン（４１２）に差込む。これにより包袋の開口縁辺（１１Ｅ）は、水平基台（３１）のシールバー（３２）に添って袋幅方向に伸直し、しわ・波打ち等のない状態に保持される。その係止状態のもとにレバー（３３）（図１）を下方へ回動し、上下のシールバー（３２）と（３４）とで開口縁辺（１１Ｅ）を挟圧すれば、開口縁辺（１１Ｅ）は全幅に亘って均一かつ確実に接着封止される。
【００１１】
図１１は、封止された開口縁辺（１１Ｅ）を示している。（Ｓ）は帯状に形成された熱接着部（シールバー３２，３４による加熱挟圧痕として形成される）であり、しわ・ねじれ等がなく、袋幅方向の全長に亘って一様に形成されている。熱接着部（Ｓ）の帯幅は、シールバー（３２）（３４）のレール幅により任意に調整される。なお、熱接着部（Ｓ）の平面形状は、図示の帯形状に限定されず、包袋の種類等により線形状とされる場合もある。
【００１２】
包袋（１０）の袋サイズは、包装物の種類・使用分野等により種々様々であり、例えば前記輸液バッグ包装体（Ａ）では数種の規格サイズがあり、それぞれの袋幅は異なる。これに対処するために、図１に示したように、ピン保持台（４２）の頂面に複数のピン差込み孔（４５，４５…）を直列（シールバー３２に対し平行な向き）に設けておくとよい。包袋（１０）の袋幅サイズに応じてピン差込み孔（４５）を選択し、ピン（４１）の差替えによりピン間隔を調節すれば、包袋のサイズ変化に対処することができる。図１では２つのピン保持台（４２１）（４２２）のそれぞれに複数のピン差込み孔（４５）を設けているが、他方のピン保持台（４２２）のピン差込み孔（４５）は必ずしも複数個とする必要はなく１個であってもよい。
【００１３】
図２は本発明の熱接着シーラーの他の実施例を示している。
この熱接着シーラー（２０Ｂ）は、前記図１に示した熱接着シーラー（２０Ａ）の変形例であり、２つのピン保持台（４２）の一方（図ではピン保持台４２１）を、水平基台（３１）のシールバー（３２）に平行な向きにシフト可能に配置した構成を有する。シフト機構（５０）は、シフトガイドバー（５１）、スプリング（５５）、スプリング固定板（５６）等で構成されている。シフトガイドバー（５１）はシールバー（３１）と平行な向きにピン保持台（４２１）（４２２）及びスプリング固定板（５６）を貫通し、両端は支持部材（５２１，５２２）に固定されている。スプリング固定板（５６）は左右のピン保持台（４２１）（４２２）の間の適当な位置に固定されている。
【００１４】
スプリング（５６）は、ピン保持台（４２１）を他方のピン保持台（４２２）から遠ざかる向きにシフトさせるための付勢手段である。スプリング（５６）はピン保持台（４２１）とスプリング固定板（５７）との間に架け渡されて付勢機構（５５）を構成し、その弾性撥力によりピン保持台（４２１）はシフトガイドバー（５１）に沿って矢符Ｘ１方向にスライドする。スプリング（５６）の弾性撥力に代え、弾性収縮力の作用でピン保持台（４２１）を矢符Ｘ１方向に付勢する構成（この場合スプリング５６はピン保持台４２１と支持板５２１との間に係着される）としても同効である。このようにスプリング（５６）の弾性作用を利用してピン保持台（４２１）を矢符Ｘ１方向に付勢する構成の場合は、ピン保持台（４２１）のピン差込み孔（４５）は１つであってよく、前記図１のように複数個のピン差込み孔（４５）を列設しなくてもよい。
【００１５】
図２に示した熱接着シーラー（２０Ｂ）のピン（４１１）と（４１２）との常態におけるピン間隔は、包袋（１０）のピン孔（１３１）（１３２）のピン孔間隔より広い間隔に保持されている。従って包袋開口（１１）を封止するに際して、図７のように包袋（１０）の製袋接着代（１２１）（１２２）をピン（４１１）（４１２）に係止する操作は、指先でピン保持台（４２１）をスプリング（５６）の弾性力に抗してシフト（矢符Ｘ２方向）させて行なう。左右のピン保持台（４２１）（４２２）のピン（４１１）（４１２）に製袋接着代（１２１）（１２２）を係止させたうえスプリング（５６）の拘束を解けば、ピン保持台（４２１）はスプリング（５６）の弾性作用で自動的に矢符Ｘ１方向へシフト（弾性復帰）する。この弾性作用により包袋（１０）の開口端縁（１１Ｅ）は、しわ・波打ち等のない伸直状態に保持される。このようにスプリング等を利用したスライド構造を包袋係止手段（４０）に付加することにより、包袋（１０）の多様なサイズに対する応変性が高められる。
【００１６】
上記図１及び図２の熱接着シーラー（２０Ａ）（２０Ｂ）（係止手段４０にピン４１を使用）における包袋の係止作業を効率よく行なうために、ピン（４１）は、製袋接着代（１２）のピン孔（１３）の通過（差し込み及び熱接着後の抜き取り）が容易であると同時に、熱接着操作時における製袋接着代（１２）の浮上がり（ピン４１からの外れ）を生じ難いことが望ましい。図３〜図６はそのためのピン（４１）の好ましい形態例を示している。
【００１７】
図３に示したピン（４１）は、側面を一周する環状突起（４１ａ）が形成されている。環状突起（４１ａ）は、包袋（１０）のピン孔（１３）の通過（製袋接着代１２を係止させる際のピン４１への差込み及び開口縁辺１１Ｅを熱接着した後の抜き取り）を妨げない適度の膨出径が与えられている。ピン（４１）の環状突起（４１ａ）を通過して係止される製袋接着代（１２）は、環状突起の膨出形状の効果として浮き上がり（ピン４１からの抜け）のない安定な状態に保持される。
【００１８】
図４に示したピン（４１）は、側面に縦長の溝（４１ｂ）が形成され、溝（４１ｂ）内に板バネ（４１ｃ）が取付けられている。板バネ（４１ｃ）は外向きに突出した略く字型の屈曲形状を有し、上端部をビス（４１ｄ）等で固定されている。ピン（４１）に係止された包袋の製袋接着代（１２）は、板ばね（４１ｃ）の突出形状によりピン（４１）からの浮上がり（ピン４１からの外れ）が防止され、安定な係止状態に保たれる。板ばね（４１ｃ）の突出部は平坦形状に弾性変形する（指先で軽く抑えて弾性変形させてもよい）ので、製袋接着代（１２）を係止する際のピン孔（１３）の差し込み、及び熱接着（開口封止）後にピン（４１）から取り外す際の抜き取りが妨げられることはない。
【００１９】
図５に示したピン（４１）は、側面に縦長の溝状凹陥（４１ｅ）が形成され、凹陥（４１ｅ）内にローラ（４１ｆ）が回動自在に軸支されている。ローラ（４１ｆ）の周縁部はピンの側表面から突出している。ピン（４１）に係止された製袋接着代（１２）は、ローラ（４１ｆ）の突出した周縁部により、浮上がり（ピン４１からの外れ）のない係止状態に保持される。突出高さは、包袋（１０）のピン孔（１３）の通過を妨げない適度の高さに設定され、またローラ（４１ｆ）はフリーローラであるので、製袋接着代（１２）を係止させる際のピン（４１）への差込み及び熱接着（開口封止）後の抜き取りは妨げられない。
【００２０】
図６に示したピン（４１）は、ボールプランジャー（４１ｇ）が納設された構造を有する。ボールプランジャー（４１ｇ）は、先端のボール（４１ｈ）とその背部のバネ（４１ｉ）とからなり、バネ（４１ｉ）の弾性撥力でボール（４１ｈ）の先端がピン（４１）の側面から突出しており、指先で押えると後退する。ピン（４１）に係止された包袋の製袋接着代（１２）はピン（４１）の側面から突出したボール（４１ｈ）により、浮上がり（ピン４１からの抜け）のない安定な係止状態に保たれる。製袋接着代（１２）をピン（４１）に係止させ又はピン（４１）から抜き取るときは、ボール（４１ｈ）を指先で押えて内側に後退させればよく、差し込み・抜き取りの妨げとなることはない。同図ではボールプランジャー（４１ｈ）を上下方向の複数段に設けた多段構成の例を示しているが、１個所でもよくその段数は任意である。
【００２１】
図４〜図６のようにピン（４１）に突出部（４１Ｐ）（図４の板バネ４１３のく字型屈曲部，図５のローラ４１６の突出した周縁部，図６のポールプランジャー４１８の先端）が形設されている場合、該ピン（４１）は、図８に示すように、その突出部（４１Ｐ）を製袋接着代（１２）の外側に向けてピン保持台（４２）に取付けるのがよい。これにより、包袋（１０）のピン孔（１３）の孔径がピン（４１）の断面径がより大きくても、ピン孔（１３）の外側縁が突出部（４１Ｐ）で押えられるので、包袋の製袋接着代（１２）の浮上がりの防止効果が高められ、係止状態をより安定に保つことができる。図３の円環状突起４１１（等方的な突出形状を有する）の場合はむろんこのような制約はない。
【００２２】
図９は本発明の熱接着シーラーの他の実施例を示している。
この熱接着シーラー（２０Ｃ）における包袋係止手段（４０）は、前記図１，図２（包袋係止手段にピン４１を使用）と異なって、水平基台（３１）の左右両側端付近に配置された２つのクリップ保持台（４８）（４８１，  ４８２）と各クリップ保持台に取付けられたクリップ（４６）（４６１，  ４６２）とで構成されている。包袋（１０）は、開口縁辺（１２）の左右の端部にクリップ（４６１）（４６２）を噛着させることにより係止される（図１０）。従って、この熱接着シーラー（２０Ｃ）を使用する場合は、製袋接着代（１２）のピン孔（１３）は不要である。更にピン孔（１３）が不要であることにより、製袋接着代（１２）を有しない包袋を対象とする開口封止にも適用することができる。
【００２３】
上記係止手段のクリップ保持台（４８）の一方（図９ではクリップ保持台４８１）は、水平基台（３１）のシールバー（３２）に平行な向きにシフト可能に配置され、他方のクリップ保持台（４８２）は水平基台（３１）の台板（３７）に固定されている。クリップ保持台（４８１）のシフト機構（５０）は、前記図２のそれと同様の構成を有し、シフトガイドバー（５１）、スプリング（５６）およびスプリング固定板（５７）等からなる。シフトガイドバー（５１）は、水平基台（３１）のシールバー（３２）と平行な向きにクリップ保持台（４８１）（４８２）及びスプリング固定板（５７）を貫通し、両端は支持板（５２１）（５２２）に固定されている。
【００２４】
クリップ保持台（４８１）は、スプリング（５６）（クリップ保持台４８１とスプリング固定板５７との間に架け渡されている）の弾性撥力により、矢符Ｘ１方向（他方のクリップ保持台４８２から遠ざかる向き）に付勢されている。クリップ保持台（４８１）のクリップ（４６１）とクリップ保持台（４８２）のクリップ（４６２）のクリップ間隔は、スプリング（５６）の弾性作用で包袋（１０）の開口幅より広い間隔に保持されている。弾性反撥力に代え、弾性収縮力の作用でピン保持台（４２１）を矢符Ｘ１方向に付勢する構成（その場合スプリング５６はクリップ保持台４８１と支持板５２１との間に係着される）としても同効である。
【００２５】
図１０は、上記熱接着シーラー（２０Ｃ）の係止手段（４０）に包袋（１０）を係止した状態を示している。クリップ（４６１）（４６２）は開口縁辺（１１Ｅ）の左右の縁部に噛着されている。その係止操作は、前記図２の熱接着シーラー（２０Ｂ）におけるそれと同じように、指先の操作でクリップ保持台（４８１）をスプリング（５６）の弾性撥力に抗してシフト（矢符Ｘ２方向）させて行なう。左右のクリップ（４６１）（４６２）を開口縁辺（１１Ｅ）の端部に噛着させたうえスプリング（５６）の拘束を解けば、クリップ保持台（４８１）はスプリング（５６）の弾性作用で自動的に矢符Ｘ１方向へシフトする。これにより包袋の開口端縁（１１Ｅ）は、しわ・波打ち等のない伸直状態に保持され、伸直状態のもとに開口縁辺（１１Ｅ）の熱接着（開口封止）を行うことができる。
【００２６】
前記図２及び図３では、包袋係止手段（４０）の付勢手段に、スプリング（５６）を使用しているが、これに代えてゴム等の弾性体を使用してもよい。また弾性体（スプリング，ゴム等）による付勢手段に限定されず、左右の係止手段（４０）（４０）の離隔距離を広げて、係止された包袋の開口縁辺（１２）を開口幅方向に伸直させ得るものであれば任意に適用することができる。
【００２７】
シールバー（３２）（３４）を加熱昇温する電気加熱回路は、例えばインパルス方式の回路が適用される。またレバー（３３）の回動動作に伴うＯＮ−ＯＦＦの自動切り替え、スイッチ（３８）による包袋の材種に応じた出力の切り替え等の回路構成が適宜採用される。上記インパルス方式のシーラー（所謂インパルスシーラー，インパルスヒーター）は、シールバー（３２）（３４）の表面に、発熱源としてリボン状ヒーターを備え、リボン状ヒーターに瞬間的に大電流を流し通電時間中のみ加熱するヒーターであって、シールバー（３２）（３４）の挟圧状態においてのみ通電・発熱する構造であることにより、包袋（１０）を係止手段（４０）に係止させる際に、包袋（１０）がシールバー（３２）（３４）に触れても、加熱損傷等の不都合をきたすことがなく、安全且つ効率的に開口封止作業を遂行することができる。
【００２８】
本発明による開口縁辺（１１Ｅ）の熱接着は代表的には溶着であり、加熱溶着性を有するプラスチックフィルム（例えばポリエチレンフィルム等）、又は加熱溶着性フィルム層を内面層とするラミネートフィルム等で形成された包袋は、開口縁辺（１１Ｅ）の重ね合わせ面の溶着により封止される。更に包袋のフィルム材種が加熱溶着性に乏しいものであっても、開口縁辺（１１Ｅ）の内側面に公知の各種感熱性接着剤層が設けられている包袋は、開口縁辺（１１Ｅ）の重ね合わせ面の加熱接着により開口封止が達成される。
【００２９】
前記図示の熱接着シーラー（２０Ａ）（２０Ｂ）（２０Ｃ）は、シールバー（３２）の両側に係止手段（４０）（４０）を設けて包袋を係止するように構成されているが、２つの係止手段のいずれか一方を省略することも可能である。この場合は、包袋の開口縁辺（１１Ｅ）の左右の端部の一方（例えば製袋接着代１２２）のみを係止手段（４０）に係止し、他方の端部（製袋接着代１２１）を手で保持して矢符Ｘ１方向に引き寄せれば、開口縁辺（１１Ｅ）をしわ・波打ち等のない伸直状態に保持して開口の封止を行うことができる。
【００３０】
なお、上記した各熱接着シーラーでは、押圧体（３３）を水平基台（３１）に対しレバー構造とし、水平基台（３１）の片側端の支軸（３５）を支点とする回動動作を行なうように構成されているが、これに限定されない。例えば、図１２に示すように、水平基台（３１）と押圧体（３３）とを平行に向い合わせ、平行姿勢を保持して押圧体（３３）の上下動作により２つのシールバー（３２）と（３４）とで開口縁辺を挟圧させる構造としてもよい。
【００３１】
本発明の熱接着シーラーは、包袋の使用分野、種類、サイズ等を問わず、各種薬品，文具，食品，菓子類，雑貨，小型工具・機械ビス類，農産物，海産物等、分野における各種物品（商品）を収納する包袋に適用することができ、特に密封を必要とする商品が収納された包袋に対し確実な密封を保証することができる。なお、包袋の種類により、例えば輸液バッグ包装体（Ａ）の外装袋（１０）のように、一度開封（調剤開封）された開口を再封止する包袋では、図１３に示したように、調剤開封時の切取り始端となるノッチ（ｎ１）のほかに、再封止された外装袋（１０）から輸液バッグ（Ｂ）を取出す際の切取り始端となるノッチ（ｎ２）を設けておくとよい。
【００３２】
【発明の効果】
本発明によれば、物品（商品）が収納された包袋の開口を封止するに際して、開口縁辺をしわ・波打ち等のゆがみのない伸直状態に保持することが容易であり、封止作業の煩瑣が解消されると共に、開口縁辺の全幅に亘る均一な熱接着により開口封止を効率よく行なうことができる。開口縁辺の熱接着された面域はしわ・ゆがみ等がなく、密封性が高くかつ外観も良好である。本発明の熱接着シーラーは、包袋の種類を問わず、輸液バッグ包袋体の外装袋の再封止をはじめ、各種分野におけるさまざまな物品の包袋の開口封止に適用でき、封止作業の効率化、包装外観の良好化、密封性による物品の品質保全等に奏効するものである。
【図面の簡単な説明】
【図１】本発明の熱接着シーラーの実施例を示す斜視図である。
【図２】本発明の熱接着シーラーの他の実施例を示す斜視図である。
【図３】包袋係止手段を構成するピンの形態例を示す斜視図である。
【図４】包袋係止手段を構成するピンの他の形態例を示す斜視図である。
【図５】包袋係止手段を構成するピンの他の形態例を示す斜視図である。
【図６】包袋係止手段を構成するピンの他の形態例を示す斜視図である。
【図７】図１又は図２の熱接着シーラーによる包袋開口の封止操作説明図である。
【図８】図１又は図２の熱接着シーラーによる包袋開口の封止操作説明図である。
【図９】本発明の熱接着シーラーの他の実施例を示す正面図である。
【図１０】図９の熱接着シーラーによる包袋開口の封止操作説明図である。
【図１１】本発明の熱接着シーラーで開口を封止された包袋の開口縁辺を示す斜視説明図である。
【図１２】本発明の熱接着シーラーを構成する水平基台と押圧体との連結構造の他の例を模式的に示す正面説明図である。
【図１３】本発明の熱接着シーラーが適用される包袋の例（輸液バッグ包袋体）を示す平面図である。
【図１４】包袋の例（輸液バッグ包袋体）を示す平面説明図である。
【図１５】図１４の包袋の開封状態を示す平面説明図である。
【図１６】熱接着シーラーを示す正面図である。
【図１７】図１６の熱接着シーラーで開口封止される包袋の開口付近の形状を示す斜視図である。
【符号の説明】
１０：プラスチック包袋（輸液バッグ外装袋）
１１：開口
１１Ｅ：開口縁辺
１２（１２１，１２２）：製袋接着代
１３（１３１，１３２）：ピン孔
２０（２０Ａ，２０Ｂ，２０Ｃ）：熱接着シーラー
３１：水平基台                          ３２：シールバー
３３：押圧体                            ３４：シールバー
３５：回動支軸                          ３６：コード
３７：台板                              ３８：スイッチ
４０：包袋縁部係止手段
４１（４１１，４１２）：係止用ピン
４１ａ：円周突起（段差）                ４１ｂ：溝条
４１ｃ：板バネ                          ４１ｄ：ビス
４１ｅ：凹陥                            ４１ｆ：ローラ
４１ｇ：ボールプランジャー
４１ｈ：  ボール                        ４１ｉ：バネ
４１Ｐ：ピンの突出部
４２（４２１，４２２）：ピン保持台
４５：ピン差込み孔
４６（４６１，４６２）：クリップ
４８（４８１，４８２）：クリップ保持台
５０：シフト機構
５１：シフトガイドバー
５２（５２１，５２２）：シフトガイドバー支持体
５５：付勢機構
５６：スプリング
５７：スプリング固定板
Ａ：輸液バッグ包装体                  Ｂ：輸液バッグ
Ｓ：熱接着部                          ｎ１，ｎ２：ノッチ
【図１】
2004268970.tif 000003
【図２】
2004268970.tif 000004
【図３】
2004268970.tif 000005
【図４】
2004268970.tif 000006
【図５】
2004268970.tif 000007
【図６】
2004268970.tif 000008
【図７】
2004268970.tif 000009
【図８】
2004268970.tif 000010
【図９】
2004268970.tif 000011
【図１０】
2004268970.tif 000012
【図１１】
2004268970.tif 000013
【図１２】
2004268970.tif 000014
【図１３】
2004268970.tif 000015
【図１４】
2004268970.tif 000016
【図１５】
2004268970.tif 000017
【図１６】
2004268970.tif 000018
【図１７】
2004268970.tif 000019